(57)【要約】【課題】上端より突出したステム３を押し下げるとにより収納液を噴出する一対の容器体２に対して装着する櫛型の吐出具であって、洗浄が行い易くて長期に渡る使用が行え、また、構造が簡単で部材数が少なく、製造が容易でコストの低減が図れる櫛型吐出具を提案する。【解決手段】各ステム４に嵌合する一対の嵌合筒８と連通する混合室Ｒを備えるとともに、上面より連結筒１１を突設し、且つ、開閉可能に設けた連結部材６と、各容器体に嵌合した周壁１７により支持されたレバー１６上に複数の櫛歯１９を並設するとともに、レバー下面に連結筒１１を嵌合させた櫛歯部材７とを備え、連結筒１１に一端を開口して櫛歯１９内を通り、櫛歯表面に他端を開口する液流路ｐを設けた。そして使用後各混合室を開いての洗浄を行える如く構成した。【選択図】図１
2004149193.tif 000002
【特許請求の範囲】
【請求項１】
上端より突出したステム３を押し下げることにより収納液を噴出する並立した一対の容器体２に対して装着する櫛型吐出具であって、上記各ステム３に嵌合する一対の嵌合筒８を垂設した本体９上に開閉可能に蓋体１０を連結するとともに、本体９と蓋体１０とで各嵌合筒８と連通する混合室Ｒを画成し、且つ、混合室Ｒ内と連通する連結筒１１を蓋体１０上に立設した連結部材６と、両容器体２の両口頸部４外周に下端部を嵌合させる周壁１７に開閉可能に連結したレバー１８を押し下げ可能に延設するとともに、レバー１８下面に上記連結筒１１を嵌合させ、且つ、レバー上に複数の櫛歯１９を並設した櫛歯部材７とを備え、上記連結筒１１に一端を開口して櫛歯１９内を通り、櫛歯１９表面に他端を開口する液流路ｐを設けてなることを特徴とする櫛型吐出具。
【請求項２】
上記周壁１７とレバー１８との連結が、ヒンジ２４を介しての開閉可能な連結であり、レバー１８と周壁１７とを一体に形成してなる請求項１記載の櫛型吐出具。
【発明の詳細な説明】
【０００１】
【発明の属する技術分野】
本発明は櫛型吐出具に関する。
【０００２】
【従来の技術】
２液を別々に収納し、使用時に混合して櫛型吐出具より吐出する如く構成した容器が知られている（例えば、特許文献１参照）。この容器は、内部を第１収納液部と第２収納液部とに底板部材で区画した特殊構成の２液収納容器体と、櫛型の吐出具とを備え、使用時にキャップを外し、櫛型吐出具の装着筒を螺着させることにより、液収納容器体内の底板部材を押し下げて両者を区画する底板を外し、２液が混合する如く構成したものである。また、ここで使用されている櫛型吐出具は、装着筒の頂板に下端を開口して注出筒を立設するとともに、注出筒の前面より多数突設した櫛歯内を貫通してその前部と注出筒内とをそれぞれ連通する通液路を設けている。
【０００３】
また、上方付勢状態で上方へステムを突出した２つの容器体に対して装着し、各容器体内の液を混合して吐出する吐出具として、櫛型の形態をなすものが知られている（例えば、特許文献２参照）。この容器は、２個のエアゾール容器体をその上部を結束部材で結束し、また、各容器体のステムにそれぞれ被着させた筒状部分を横筒で連結して内部を連結させた押釦を備え、この押釦前面に突設した一対の連結管を介して櫛型の吐出具を嵌着させている。
【０００４】
櫛型吐出具は、各連結管に連結させて前面から平行に突出する複数本の歯を備えており、互いに隣接する歯の先端近辺の側面に、それぞれ一方の連結管と連通する噴出口が設けられ、液吐出により２液歯表面で混合する如く構成している。
【０００５】
【特許文献１】
特開平１０−３２４３４０号公報（第２−３頁，図１）
【特許文献２】
特開平１０−２３６５３９号公報（第２−８頁，図１、図１３）
【０００６】
【発明が解決しようとする課題】
上記従来のこの種の容器は、２液を簡単な操作で混合してそのまま櫛歯を当てて吐出することができ、取り扱いが極めて便利なものである。また、この種容器は使用前には別々の状態で２液を保管しておかなければならないため、一旦使用すると混合液が液流路内に残存して再び使用するのには不都合がある。従って、後者の場合には液流路を歯先端の吐出口までそれぞれ別経路で形成しているが、構造が複雑となる不都合がある。
【０００７】
本発明は上記した点に鑑みてなされたもので、従来の吐出具の特性をいかしつつ、しかも洗浄が行い易く、長期に渡る使用が行え、また、構造が簡単でかつ部材数が少なく、その結果、製造が容易でコストの低減が図れる櫛型吐出具を提案するものである。
【０００８】
【課題を解決するための手段】
本請求項１発明の櫛型吐出具は、上記課題を解決するため、上端より突出したステム３を押し下げることにより収納液を噴出する並立した一対の容器体２に対して装着する櫛型吐出具であって、上記各ステム３に嵌合する一対の嵌合筒８を垂設した本体９上に開閉可能に蓋体１０を連結するとともに、本体９と蓋体１０とで各嵌合筒８と連通する混合室Ｒを画成し、且つ、混合室Ｒ内と連通する連結筒１１を蓋体１０上に立設した連結部材６と、両容器体２の両口頸部４外周に下端部を嵌合させる周壁１７に開閉可能に連結したレバー１８を押し下げ可能に延設するとともに、レバー１８下面に上記連結筒１１を嵌合させ、且つ、レバー上に複数の櫛歯１９を並設した櫛歯部材７とを備え、上記連結筒１１に一端を開口して櫛歯１９内を通り、櫛歯１９表面に他端を開口する液流路ｐを設けてなることを特徴とする櫛型吐出具として構成した。
【０００９】
また、請求項２発明の櫛型吐出具は、上記周壁１７とレバー１８との連結が、ヒンジ２４を介しての開閉可能な連結であり、レバー１８と周壁１７とを一体に形成してなる請求項１記載の櫛型吐出具として構成した。
【００１０】
【発明の実施の形態】
以下、本発明の実施例の形態を図面を参照して説明する。
【００１１】
図面は塗布容器１であり、一対の容器体２と、櫛型吐出具Ａとを備えている。各容器体２は、上面より突出したステム３を押し下げることにより容器体内の液を噴出することができる噴出機構を備えたものを使用する。噴出機構の形態は、上記要件を満たせば種々の公知機構を採用でき、例えば、シリンダとピストンとを備えた一般的なポンプ構造を備えたもの、或いはエアゾールタイプのもの等を採用できる。図示例では、エアゾールタイプの噴出機構を備え、口頸部４外周に凹溝５を周設した容器体２を使用している。
【００１２】
櫛型吐出具Ａは上記した如き容器体２を並立させた状態で装着するもので、連結部材６と、櫛歯部材７とを備えている。
【００１３】
連結部材６は、各容器体２の各ステム３に嵌合する一対の嵌合筒８を垂設した本体９上に開閉可能に蓋体１０を連結するとともに、本体９と蓋体１０とで各嵌合筒８と連通する混合室Ｒを画成している。また、混合室Ｒと連通する連結筒１１を蓋体１０上に立設している。
【００１４】
図示例では、各ステム３に嵌合する一対の嵌合筒８上端の液導入口ａを開口した底板１２の周縁部より下方へ嵌合筒部１３を垂設した本体９と、上記嵌合筒部１３外周に液密且つ開閉可能に下部を嵌合させた周壁１４の上端縁より頂壁１５を延設した蓋体１０とを、上記嵌合筒部１３の下端部に於いて周壁１４下端部とヒンジ１６により連結して蓋体１０の開閉が可能に連結し、両者で形成される内部空間を混合室Ｒとして構成している。また、連結筒１１は、蓋体１０の頂壁１５に下端を開口して上方へ起立している。
【００１５】
櫛歯部材７は、両容器体２の両口頸部４外周に嵌合させる周壁１７の上端部の一部から押し下げ可能にレバー１８を延設するとともに、レバー１８下面に上記連結筒１１を嵌合させ、且つ、レバー上に複数の櫛歯１９を並設している。また、櫛歯１９には、連結筒１１に一端を開口して櫛歯１９内を通り、櫛歯１９表面に他端を開口する液流路ｐを設けている。
【００１６】
図示例に於いて周壁１７は下端部を上記両口頸部４外周に嵌合させた外周壁１７ａ  の上端部より内方へ延設したフランジ２０を介して外周壁１７ａ  より短い内周壁１７ｂ  を垂設させた二重筒状をなしており、後部上端部にレバー変位用窓口２１を形成している。また、前部上部にはレバー１８の押し下げを図るために、外周壁１７ａ  を残して内周壁１７ｂ  を外方へ凹ませた操作用凹部２２を横設している。そして、外周壁１７ａ  の下端部内周に突周設した係合突条２３を上記各容器体の凹溝５に係合させて上方への抜け出しを防止して各容器体に嵌着固定させている。
【００１７】
また、レバー１８は、周壁１７の前部上端部にヒンジ２４を介して一端部を一体に且つ開閉可能に連結するとともに、周壁１７上を横断してレバー変位用窓口２１を通って外方へ延設した板状をなしており、周壁１７外方に於いて後端部を下方へ垂下させて押し下げ可能に構成している。また、レバー１８の水平部分下面には嵌合筒２５を垂設し、この嵌合筒２５に上記連結筒１１を嵌合させている。
【００１８】
櫛歯１９はレバー１８上に設けた中空の基台２６上に複数並べて立設している。また、上記嵌合筒２５の上端は基台２６内の連通空間２７に開口しており、櫛歯１９には連通空間２７に下端を開口して上方に至る縦孔２８と、該縦孔２８上端部と連通するとともに、櫛歯１９を横断してその表面に開口する横孔２９とを穿設している。
【００１９】
更に具体的に図示例を説明すると、上記液流路ｐを備えた櫛歯１９はそれらを一体に形成した櫛歯体３０として着脱可能に嵌着させている。また、基台２６は、レバー１８の上面から立設した周壁部３１と、周壁部３１上面を被覆して嵌着させた別体の頂板３２とで構成している。頂板３２は、裏面より垂設したシール筒３３を周壁部３１内周に液密に嵌合し、中央所定位置には櫛歯体３０を嵌合させるための嵌合孔３４を穿設している。また、周壁部３１の上面両側からは両端の櫛歯１９を立設している。櫛歯体３０は、上記各嵌合孔３４に嵌合した連絡筒３５を連結基板３６下面より垂設し、連結基板３６の上に各櫛歯１９を立設し、各縦孔２８とその下方の連絡筒３５とを連通させている。
【００２０】
従って、上記連結筒１１内から連通空間２７を介して縦孔２８及び横孔２９より櫛歯１９表面に至る上記液流路ｐを形成している。詳しくいえば、連通空間２７から分岐した液流路ｐがそれぞれの櫛歯１９内を通りその表面に至っている。尚、この分岐した部分の液流路ｐは、全ての櫛歯１９に設ける場合に限らず、図示例の如く、両側を除いた真ん中部分に設ける場合も、或いは、ひとつおきに形成しても良く適宜選択できる。
【００２１】
上記の如く構成した塗布容器１は、例えば、レバー１８を押し下げることにより、各ステム３を押し下げ、各容器体内の液が混合室Ｒ内に導入されて混合し、次いで液流路ｐを通って櫛歯１９の先端部から吐出される。使用後は、例えばレバー１８を回動させて連結筒１１から外して図１の二点鎖線の位置に回動させた後、連結部材６を外し蓋体１０を開いて混合室Ｒ内を洗浄する。また、櫛歯体３０を取り外し、洗浄する。
【００２２】
【発明の効果】
以上説明した如く本発明の櫛型塗布具は、既述構成としたことにより、２液を簡単な操作で混合してそのまま櫛歯を当てて注出することができ、液の注出に際してレバーの存在で押し下げが軽く容易に行えて取り扱いが極めて便利なものである。また、使用後の洗浄が行い易く、汚れも充分取り除くことができるため長期に渡る使用が行える。また、極力部材数を減らし、その結果、製造が容易でコストの低減が図れるものであり、特に周壁とレバーとを一体に形成したものはその効果が顕著である。
【図面の簡単な説明】
【図１】本発明の一実施例を示す縦断面図である。
【図２】同実施例の櫛型吐出具を示す分解斜視図である。
【図３】同実施例の斜視図である。
【符号の説明】
２…容器体，３…ステム、６…連結部材，８…嵌合筒，９…本体，１０…蓋体，
１１…連結筒，１８…レバー，１９…櫛歯，ｐ…液流路
【図１】
2004149193.tif 000003
【図２】
2004149193.tif 000004
【図３】
2004149193.tif 000005